(57)【要約】【課題】簡素な構成で、用紙からの大きな反力が作用した場合でも、その大きな反力を良好に受け止めることができるようにしながらも、そのための操作を迅速に行える印刷機の胴昇降装置を提供することをその課題とする。【解決手段】胴１Ｂにより搬送される印刷用紙Ｐの表面処理を行う表面処理部１を備え、該表面処理部１を、該胴１Ｂに接近させて表面処理を行う接近位置と、該胴から離間させた退避位置とに切り替え自在に構成している印刷機の胴昇降装置であって、接近位置における該表面処理部１を押圧することにより該表面処理部１が退避位置側へ移動することを阻止するロック位置と、該表面処理部１が接近位置から退避位置へ移動することを許容するロック解除位置とに位置変更自在なストッパー２０を備え、該ストッパー２０は、ロック解除位置からロック位置へ向うにしたがって漸次該押圧力を高めるように構成されている。【選択図】図２
2010143044.tif 000002
【特許請求の範囲】
【請求項１】
胴により搬送される印刷用紙の表面処理を行う表面処理部を備え、該表面処理部を、該胴に接近させて表面処理を行う接近位置と、該胴から離間させた退避位置とに切り替え自在に構成している印刷機の胴昇降装置であって、
接近位置における該表面処理部を押圧することにより該表面処理部が退避位置側へ移動することを阻止するロック位置と、該表面処理部が接近位置から退避位置へ移動することを許容するロック解除位置とに位置変更自在なストッパーを備え、該ストッパーは、ロック解除位置からロック位置へ向うにしたがって漸次該押圧力を高めるように構成されていることを特徴とする印刷機の胴昇降装置。
【発明の詳細な説明】
【技術分野】
【０００１】
本発明は、胴により搬送される印刷用紙の表面処理を行う表面処理部を備え、該表面処理部を、前記胴に接近させて表面処理を行う接近位置と、該胴から離間させた退避位置とに切り替え自在に構成した印刷機の胴昇降装置に関する。
【背景技術】
【０００２】
上記構成の印刷機の胴昇降装置として、例えば移動中のウェブ材料（用紙）に被覆材を被覆することができる被覆材付着用布地ローラを昇降させることができる装置が既に提案されている。前記のように被覆材付着用布地ローラを昇降させることによって、ブランケット胴に対して大きく離間した退避位置まで移動させることで、メンテナンス等が行い易い利点がある。前記退避位置に位置させるための具体的構成としては、被覆材付着用布地ローラが取り付けられたベースフレームを昇降操作する液圧シリンダを備えるとともに、該ベースフレームを水平方向に移動させるためのスライドシャフトを備えている。
【０００３】
従って、ベースフレームの昇降と水平方向への移動を複数回交互に繰り返して行うことによって、被覆材付着用布地ローラをブランケット胴に接近させて用紙に被覆材を被覆する接近位置とブランケット胴から大きく離間させた退避位置とに切り替えることができるように構成している（例えば、特許文献１参照）
【特許文献１】特開昭６４−４５６３８号公報（図１、図２参照）
【発明の開示】
【発明が解決しようとする課題】
【０００４】
前記特許文献１の構成では、被覆材付着用布地ローラの接近位置において、被覆材付着用布地ローラとブランケット胴との隙間にその隙間よりも大きな厚みの用紙が供給された場合に、被覆材付着用布地ローラが用紙からの反力を受けてブランケット胴から大きく離間することを阻止する阻止手段を設けている。この阻止手段は、ベースフレームを受け止める支持バーの表面に備えさせたスタッドボルトと、このスタッドボルトに螺合するナットとから構成されている。具体的には、被覆材付着用布地ローラを接近位置に位置させたときに、支持バーのスタッドボルトがベースフレームの貫通孔を貫通する。そして、ベースフレームから突出したスタッドボルトの上端にナットを螺合させることにより、ベースフレームを支持バーに固定することができるようになっている。
【０００５】
しかしながら、前記のようにベースフレームを支持バーに一旦固定してしまうと、被覆材付着用布地ローラを接近位置から退避位置に切り替えることができない。このため、被覆材付着用布地ローラを接近位置から退避位置に切り替える場合には、螺合したナットを緩めてスタッドボルトを取り外さなければならず、操作性が非常に悪いものであった。
【０００６】
本発明が前述の状況に鑑み、解決しようとするところは、簡素な構成で、用紙からの大きな反力が作用した場合でも、その大きな反力を良好に受け止めることができるようにしながらも、そのための操作を迅速に行える印刷機の胴昇降装置を提供することを課題とする。
【課題を解決するための手段】
【０００７】
前記課題を解決するために、本発明は、胴１Ｂにより搬送される印刷用紙Ｐの表面処理を行う表面処理部１を備え、該表面処理部１を、該胴１Ｂに接近させて表面処理を行う接近位置と、該胴から離間させた退避位置とに切り替え自在に構成している印刷機の胴昇降装置であって、接近位置における該表面処理部１を押圧することにより該表面処理部１が退避位置側へ移動することを阻止するロック位置と、該表面処理部１が接近位置から退避位置へ移動することを許容するロック解除位置とに位置変更自在なストッパー２０を備え、該ストッパー２０は、ロック解除位置からロック位置へ向うにしたがって漸次該押圧力を高めるように構成されていることを特徴としている。
【発明の効果】
【０００８】
本発明の請求項１記載の印刷機によれば、接近位置における表面処理部が退避位置側へ移動することをストッパーにより確実に阻止することができながらも、表面処理部が接近位置から退避位置へ移動する場合には、ロック位置からロック解除位置へストッパーを位置変更させるだけで済むから、簡素な構成で、用紙からの大きな反力が作用した場合でも、その大きな反力をストッパーで良好に受け止めることができるようにしながら、そのためのストッパーに対する操作を迅速に行える印刷機の胴昇降装置を提供することができる。
また、ストッパーは、ロック解除位置からロック位置へ向うにしたがって漸次該押圧力を高めるように構成されているので、ストッパーによる表面処理部のロック時の衝撃を極力弱めることができ、スムーズなロックを行うことができる。
【発明を実施するための最良の形態】
【０００９】
図１に、印刷された印刷用紙の印刷面に光沢を出すための樹脂ワニス（ニスとも言う）を塗布（コーティング）して表面処理を行うための表面処理部としてのワニス塗布部１が組み込まれた印刷機の一例を示している。この印刷機は、紙積み台２と、紙積み台２からフィーダ装置３により一枚ずつ印刷用紙を送り出すための給紙部４と、この給紙部４から送り出された印刷用紙Ｐに５色の印刷を行うための印刷部５と、該印刷部５により印刷された印刷用紙に紫外線硬化型樹脂ワニスを塗布する前記ワニス塗布部１と、該ワニス塗布部１により紫外線硬化型樹脂ワニスが塗布された印刷用紙を搬送して排紙するための排紙部６と、排紙部６内に設けられ、排紙部６により搬送されてくる印刷用紙の紫外線硬化型樹脂ワニスを硬化させるための紫外線乾燥装置７とを備えている。
ここでは、５色の印刷が行えるように５台の印刷ユニット５Ａ〜５Ｅを備えた印刷部５を示しているが、５色以外の色、つまり１色または２色以上の印刷が行える印刷部であってもよい。また、印刷機を構成する各部の具体的な構成は図に示されるものに限定されるものではない。また、印刷用紙として枚葉紙を用いているが、連続する長尺な用紙であってもよい。更に、ワニス塗布部１が、紫外線硬化型樹脂ワニスを塗布する他、水性ワ二ス（水性ニス）を塗布する場合であってもよい。この場合には、紫外線乾燥装置７の印刷用紙搬送方向前後に備えている赤外線乾燥装置８Ａ，８Ｂにより塗布された水性ニスを乾燥させることになる。
【００１０】
前記印刷ユニット５Ａ〜５Ｅは、印刷用圧胴５ａ〜５ｅを備え、これら印刷用圧胴５ａ〜５ｅの搬送方向上流側のそれぞれには、各印刷用圧胴へ印刷用紙を渡すための渡し胴９ａ〜９ｅを備えている。尚、渡し胴９ａ〜９ｅのうちの搬送方向始端側に位置する径の小さな渡し胴９ａを給紙胴とも言い、この渡し胴９ａとフィーダ装置３とから給紙部４を構成している。そして、図示していないが、胴５ａ〜５ｅ及び渡し胴９ａ〜９ｅのそれぞれには、送り出されてきた印刷用紙を爪台と爪とで把持するグリッパを円周方向の複数箇所（１箇所でもよい）に備えている。尚、前記径の小さな渡し胴９ａにも、図示していないが、印刷用紙を爪台と爪とで把持するグリッパを円周方向の１箇所に備えている。
【００１１】
前記ワニス塗布部１は、紫外線硬化型樹脂ワニスが供給されるニス胴１Ａと、ニス胴１Ａに紫外線硬化型樹脂ワニスを供給するためのニス供給ローラ１０とからなり、該ニス胴１Ａの下方には、印刷された印刷用紙を搬送する胴を構成するとともに紫外線硬化型樹脂ワニスを押し付けて塗布するためのニス圧胴１Ｂを備えている。そして、対向配置したニス圧胴１Ｂ及びニス胴１Ａのうちの一方の胴（ニス胴１Ａ）を、他方の胴（ニス圧胴１Ｂ）に接近させて表面処理を行う接近位置と、該他方の胴から離間させた退避位置とに切り替えるための昇降手段を左右両側にそれぞれ備えており、次にその昇降手段について詳述する。尚、ニス圧胴１Ｂの搬送方向上流側にも、印刷用紙をニス圧胴１Ｂに渡すための渡し胴１Ｇを備えており、この渡し胴１Ｇは、送り出されてきた印刷用紙を爪台と爪とで把持するグリッパを円周方向の複数箇所（１箇所でもよい）に備えている。
【００１２】
図２に示すように、前記昇降手段は、ニス胴１Ａを前記接近位置と離間位置とに移動させるための駆動源となる電動モータ１１と、電動モータ１１によって回転される回転部材１２と、該回転部材１２に噛み合って該回転部材１２の回転運動を直線運動に変換し、かつ、ニス胴１Ａを回転支持する昇降フレーム１３に連結した噛合部材１４とを備えている。尚、昇降フレーム１３には、ニス胴１Ａの他、ニス供給ローラ１０も回転自在に支持されており、ニス胴１Ａと共にニス供給ローラ１０も同時に昇降できる。
【００１３】
回転部材１２が、ボールねじであり、噛合部材１４が、ボールねじ１２に螺合されたボールナットである。ボールねじ１２は、それの長手方向が鉛直方向に対して少し搬送方向前方側に傾けた前方傾斜姿勢となる縦向きに配置され、固定側の支持フレーム１５に回転自在に支持されている。また、ボールナット１４は、昇降フレーム１３に取付部材１６を介して回転不能に連結されている。従って、電動モータ１１を駆動することによって、ボールねじ１２が回転し、この回転によってボールナット１４がボールねじ１２の長手方向に移動して、昇降フレーム１３を昇降させる。
【００１４】
前記電動モータ１１は、水平方向に配置され、前記ボールねじ１２は、電動モータ１１と直交する縦向きに配置されている。このように電動モータ１１を水平方向に配置することによって、装置全体が縦方向に大型化することを抑制することができる。そして、電動モータ１１とボールねじ１２とをウォームギヤ機構１７を介して連結することによって、ウォームギヤ機構１７が持つセルフロック機能を発揮させて、電動モータ１１の逆転を確実に防止することができる。
【００１５】
ウォームギヤ機構１７は、電動モータ１１の出力軸に一体回転するように外嵌されたウォーム１７Ａと、このウォーム１７Ａに噛み合うとともにボールねじ１２の上端に一体回転するように外嵌されたウォームホイール１７Ｂとから構成されている。前記のように構成された昇降装置を作動させることによって、図２の実線で示すように、ニス圧胴１Ｂに対してニス胴１Ａを接近させて印刷用紙表面にニスを塗布する接近位置と、図２の点線で示すように、ニス圧胴１Ｂに対してニス胴１Ａを上方に設定距離離間させてニスを塗布しない状態または機器のメンテナンスなどを行う退避位置とに切り替えることができる。
【００１６】
前記昇降フレーム１３の左右幅方向両側に、昇降フレーム１３を接近離間自在に移動案内するための案内手段１８，１９を備えて、昇降フレーム１３の昇降がスムーズに行えるようにしている。図２において右側に位置する一方の案内手段１８が、昇降フレーム１３を移動案内するためのガイドレールであり、左側に位置する他方の案内手段１９が、昇降フレーム１３に当接状態で配置された上下一対の案内用コロ１９Ａ，１９Ｂである。
【００１７】
ガイドレール１８は、支持フレーム１５に取り付けられた固定側のガイドレール部１８Ａと、このガイドレール部１８Ａに係合して上下に移動するべく、昇降フレーム１３に取り付けられた可動側のガイドレール部１８Ｂとからなっている。コロ１９Ａ，１９Ｂは、支持フレーム１５に形成された凹部（図示せず）内に回転自在に配設され、コロ１９Ａ，１９Ｂの外周面が昇降フレーム１３の左側の一側面に接触した状態を維持するようにしている。従って、昇降フレーム１３の昇降時に、コロ１９Ａ，１９Ｂが回転しながら昇降フレーム１３を移動案内するようになっている。
【００１８】
昇降フレーム１３が予め設定された上昇位置と下降位置とに位置すると、電動モータ１１の駆動を停止するように構成されている。具体的には、昇降フレーム１３に検知片２４を備え、昇降フレーム１３の昇降に伴い、検知片２４の通過を検出する上限検知センサ２５及び下限検知センサ２６を支持フレーム１５に備えるとともに、これら上限検知センサ２５及び下限検知センサ２６からの検出情報に基づいて電動モータ１１の駆動を制御するための制御部（図示せず）を備えている。
【００１９】
接近位置のニス胴１Ａが退避位置側へ移動することを阻止するロック位置と該ニス胴１Ｂが接近位置から退避位置へ移動することを許容するロック解除位置とに位置変更自在なストッパー２０を備えている。ニス胴１Ａとニス胴１Ｂとの隙間にその隙間よりも大きな厚さの印刷用紙が供給されて、印刷用紙からの大きな反力がニス胴１Ａに作用しても、この大きな反力が作用する近傍位置に配置されたストッパー２０で効率よく確実に受け止めることができる。
ストッパー２０は、流体圧シリンダであるエアシリンダ２１によりロック位置とロック解除位置とに切替自在に構成されている。具体的には、エアシリンダ２１を伸長作動させるとストッパー２０はロック位置に、エアシリンダ２１を短縮作動させるとストッパー２０はロック解除位置に移動する。
また、ストッパー２０は略直方体状に構成されているが、図３に示す通りストッパー２０の昇降フレーム１３に対する面（下面）はテーパ面２０ａとして形成されている。テーパ面２０ａはエアシリンダ２１の伸長方向に向うほど直方体状のストッパー２０の径が縮小するように形成されている。従って、図２及び図３におけるストッパー２０の断面形状は左辺が右辺よりも短い略台形状となっている。
【００２０】
昇降フレーム１３の上面にはストッパープレート２２が左右幅方向に二箇所設けられている。ストッパープレート２２はその上面が図３中右側に向うほど漸次低くなるテーパ面２２ａを左右方向中央付近より有する。また、ストッパー２０の上部にはストッパーブロック２３が支持フレーム１５に固定されている。
これらストッパー２０、エアシリンダ２１、ストッパープレート２２、ストッパーブロック２３は図２の紙面奥行き方向においては昇降フレーム１３の略中央付近に設けられているが、例えば図２の左側のストッパー２０等を紙面奥行き方向手前側に、右側のストッパー２０を紙面奥行き方向奥側に設けてもよい。
【００２１】
次にストッパー２０の動作について説明する。図２に点線で示す、エアシリンダ２１が短縮作動している状態では、ストッパー２０はロック解除位置にあるので、昇降フレーム１３の昇降が可能となっている。
この状態からエアシリンダ２１が伸長作動すると、ストッパー２０はロック位置に移動する。この時、ストッパー２０のテーパ面２０ａがストッパープレート２２のテーパ面２２ａを徐々に押圧しながら昇降フレーム１３をロックすることとなる。よって漸次押圧力を高めることにより、ストッパー２０による昇降フレーム１３のロック時の衝撃を極力弱めることができ、スムーズなロックを行うことができる。尚、ストッパー２０の上面とストッパーブロック２３の下面はテーパ面でなく、フラットな面となっているので、常時両者は摺接している。よって前記のテーパ面２０ａによるテーパ面２２ａの押圧に伴いストッパー２０が上昇しようとする動きはストッパーブロック２３により抑えられる。
【００２２】
尚、本発明は、前記実施形態に限定されるものではなく、本発明の要旨を逸脱しない範囲で種々の変更が可能である。例えば、前記実施形態では、ストッパー２０により、接近位置に位置しているニス胴１Ａがニス圧胴１Ｂから離間する側へ移動することを阻止する構成に加えて、昇降手段を構成するボールねじ１２とこれに噛み合っているボールナット１４とで、ニス胴１Ａがニス圧胴１Ｂから離間する側へ移動することを阻止することによって、阻止力を強力にすることができるが、昇降手段をチェーンやワイヤーなどにより構成したものであってもよい。
【００２３】
また、前記実施形態では、ボールナット１４とニス胴１Ａとを昇降フレーム１３を介して連結したが、ニス胴１Ａの端部に直接連結してもよい。この場合、ニス胴１Ａのみ昇降させることになる
【００２４】
また、前記実施形態では、ストッパー２０等は図２中左右２箇所に設けられていたが、１箇所に設けるようにしてもよい。
【００２５】
また、本発明は、ニスを塗布するものに適用できる他、印刷用紙の表面に転写用フィルムを押し付けることにより、金箔、エンボス模様やホログラム模様等を転写して印刷面の付加価値を高めるための表面処理部が昇降可能となった、いわゆるキャスティングやフォイラーといったものにも適用することができる。
【産業上の利用可能性】
【００２６】
本発明に係る印刷機は、胴により搬送される印刷用紙の表面処理を行う表面処理部を備え、該表面処理部を、前記胴に接近させて表面処理を行う接近位置と、該胴から離間させた退避位置とに切り替え自在に構成した印刷機の胴昇降装置において極めて有用である。
【図面の簡単な説明】
【００２７】
【図１】本発明に係る胴昇降を備えた枚葉オフセット印刷機の概略側面図
【図２】ワニス塗布部の側面図
【図３】図２の一部拡大図
【符号の説明】
【００２８】
１…ワニス塗布部、１Ａ…ニス胴、１Ｂ…ニス圧胴、５…印刷部、１３…昇降フレーム
１５…支持フレーム、２０…ストッパー、２０ａ…テーパ面、２１…エアシリンダ、
２２…ストッパープレート、２２ａ…テーパ面、２３…ストッパーブロック
【図１】
2010143044.tif 000003
【図２】
2010143044.tif 000004
【図３】
2010143044.tif 000005